(57)【特許請求の範囲】
【請求項１】
前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、商品見本展示用ステージとして左右方向に延在するとともに左右方向に等ピッチで形成された係合部を具備してなり、前記中扉に上下方向に等間隔で複数段配設されたレイアウト部材と、前記レイアウト部材の係合部に係合・離脱する係止部を具備して当該レイアウト部材に着脱自在に装着され、前記商品見本を個別に載置するとともに少なくとも前記商品見本の選択指定番号を表示する商品情報表示体を保持するホルダーと、前記レイアウト部材の係合部に係合・離脱する係止部を具備して当該レイアウト部材に着脱自在に装着され、広告等を表示してなるポスター部材と、前記商品展示室周囲の側壁を形成するとともに透明パネルの周縁をその裏面側から保持するパネル押え金具に取り付けてなる照明光源とを備えたことを特徴とする自動販売機の商品見本展示装置。
【請求項２】
請求項１に記載の自動販売機の商品見本展示装置において、ポスター部材の係止部をレイアウト部材の係合部における任意の係合部に係合させるとともに当該ポスター部材の周縁近傍のレイアウト部材における係合部に特定の商品見本を載置したホルダーの係止部を係止させて前記ポスター部材の近傍に特定の商品見本を配置してなることを特徴とする自動販売機の商品見本展示装置。
【請求項３】
請求項１に記載の自動販売機の商品見本展示装置において、商品情報表示体は商品見本の選択指定番号に加えて商品価格、および冷温状態を表示することを特徴とする自動販売機の商品見本展示装置。
【請求項４】
請求項１に記載の自動販売機の商品見本展示装置において、照明光源は複数の発光ダイオードチップが実装された回路基板を内蔵した発光ダイオードモジュール組立体として形成してなり、当該発光ダイオードモジュール組立体を透明パネル押え金具に複数並設してなることを特徴とする自動販売機の商品見本展示装置。
【請求項５】
請求項３記載の自動販売機の商品見本展示装置において、発光ダイオードモジュール組立体はパネル押え金具の背面に配設され、当該パネル押え金具に形成した開口を通して商品手展示室を照明してなることを特徴とする自動販売機の商品見本展示装置。
【請求項６】
請求項３記載の自動販売機の商品見本展示装置において、発光ダイオードモジュール組立体はレイアウト部材の係合部に係合する係止部材を備え、当該発光ダイオードモジュール組立体の係止部材をレイアウト部材における係合部の任意の係合部に係合させてなることを特徴とする自動販売機の商品見本展示装置。
【発明の詳細な説明】
【技術分野】
【０００１】
本発明は、自動販売機の外扉前面に画成された商品展示室に商品見本を展示する自動販売機の商品見本展示装置に係り、特に商品見本を商品展示室内の任意の位置にレイアウトすることができるようにした自動販売機の商品見本展示装置に関する。
【背景技術】
【０００２】
この種の自動販売機として缶入り飲料，ペットボトル入り飲料等の商品を販売する一般的な自動販売機は断熱筐体としてなる本体ケースの前面に片開き式の外扉が設けられ、当該外扉には複数の商品見本を展示する商品展示室が形成されている。この商品展示室の前面は商品見本を外部から視認できるように透明パネルで覆われ、前記展示室内には当該商品展示室の左右方向に延在する横長の商品展示台が上下方向に複数段配設され、これらの商品展示台に商品見本が載置されている。前記商品見本は缶入り飲料，ペットボトル入り飲料等の意匠を施した本体部の底部に嵌合部が形成されている一方、横長の商品展示台の載置面には円形の開口部が複数穿孔されている。そして、前記商品見本の嵌合部を商品展示台の開口部に嵌合させることにより商品展示室に商品見本を横一列に並べて展示し、商品展示台の下部に配設された蛍光灯により照明するように構成されている（例えば、特許文献１）。
【０００３】
このように商品展示室の左右方向に延在し上下方向に複数配設した商品展示台に商品見本を横一列に並べて展示する自動販売機の商品見本展示装置にあっては商品見本のレイアウトが画一的であるので差別化できない。このため、商品展示室内の任意の位置に商品見本をレイアウトすることにより差別化して衆目を集めるようにした自動販売機の商品見本展示装置として次記のものが知られている。その一つは、商品展示室の後面を画成する展示パネルに多数の係合穴（パンチング穴）を形成する一方、商品見本を個別に載置するホルダーに前記係合穴に着脱自在な一対のボスを設け、前記ホルダーのボスを係合穴に差し込んで商品見本を商品展示室の任意位置に展示するものである（例えば、特許文献２）。また、他の一つは、商品展示室の形状に一致させた額縁状の陳列フレームに左右方向に横架されるバーを上下方向多段に配設する一方、商品見本を個別に載置する商品見本陳列台に前記バーに係止するフックを設け、前記商品見本陳列台のフックをバーに係止させて商品見本を商品展示室の任意の位置に展示するものである（例えば、特許文献３）。
【先行技術文献】
【特許文献】
【０００４】
【特許文献１】特開平１０−７９０７９号公報
【特許文献２】特開２０００−１１２４４号公報
【特許文献３】特開２００１−３３１８６０号公報
【発明の概要】
【発明が解決しようとする課題】
【０００５】
上記特許文献２および特許文献３に開示された自動販売機においては商品展示室内の任意の位置に商品見本をレイアウトできる点で優れている。しかしながら、特許文献２に開示された自動販売機においてはホルダーに設けた一対のボスを展示パネルに形成した任意の係合穴に差し込んで係止するように構成されているため、前記係合穴にホルダーの一対のボスを差し込む際、当該一対のボスの軸線が係合穴の軸線と一致するように位置決めした上で差し込まねばならならないので商品見本の展示装着作業が煩雑であり、前記したような位置決めが不完全な状態でボスを係合穴に差し込むとボスが破損したり展示パネルが傷付く虞がある。特に、展示パネルに傷が付いた場合には商品見本のレイアウト変更によって当該傷が露呈するので見栄えを損なうという課題を有する。
【０００６】
かかる点、特許文献３に開示された自動販売機においては横架されたバーに商品見本陳列台に設けたフックを係止させればよいので商品見本の展示装着作業を簡単に行うことができる反面、上下方向に多段のバーを配設するために額縁状の陳列フレームを追加装備せねばならないことから部品点数が増加してコストが嵩むという課題を有する。
【０００７】
また、特許文献１に開示された自動販売機では複数の商品見本を横一列に並べて載置する横長の商品展示台を利用して商品見本を照明する蛍光灯を取り付けることができるが、特許文献２および特許文献３に開示されたところの商品見本を個別に任意の位置にレイアウト可能な自動販売機においては商品見本を載置するホルダー（商品見本陳列台）が小さいことから当該ホルダー（商品見本陳列台）に蛍光灯を配設することが困難である。このため、特許文献２に開示されているように、自動販売機の外部（外扉の外表面）に蛍光灯を配設するように構成せねばならず、屋外に設置する場合には蛍光灯を保護するカバー等を追加装備する必要があるとともに蛍光灯が外部にあることから悪戯される虞があり、また、破損による怪我を惹起するという課題を有する。
【０００８】
そこで、本発明は上記の点に鑑みなされたものであり、その目的は前記課題を解決し、大幅な改造を行うことなく、商品見本の展示作業が簡単で商品見本を任意の位置にレイアウトすることが可能であるとともに商品見本を効果的に照明することが可能な自動販売機の商品見本展示装置を提供することにある。
【課題を解決するための手段】
【０００９】
上記目的を達成するために請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、商品見本展示用ステージとして左右方向に延在するとともに左右方向に等ピッチで形成された係合部を具備してなり、前記中扉に上下方向に等間隔で複数段配設されたレイアウト部材と、前記レイアウト部材の係合部に係合・離脱する係止部を具備して当該レイアウト部材に着脱自在に装着され、前記商品見本を個別に載置するとともに少なくとも前記商品見本の選択指定番号を表示する商品情報表示体を保持するホルダーと、前記レイアウト部材の係合部に係合・離脱する係止部を具備して当該レイアウト部材に着脱自在に装着され、広告等を表示してなるポスター部材と、前記商品展示室周囲の側壁を形成するとともに透明パネルの周縁をその裏面側から保持するパネル押え金具に取り付けてなる照明光源とを備えたことを特徴とする。
【００１０】
また、請求項２に係る発明は、請求項１に記載の自動販売機の商品見本展示装置において、ポスター部材の係止部をレイアウト部材の係合部における任意の係合部に係合させるとともに当該ポスター部材の周縁近傍のレイアウト部材における係合部に特定の商品見本を載置したホルダーの係止部を係止させて前記ポスター部材の近傍に特定の商品見本を配置してなることを特徴とする。
【００１１】
また、請求項３に係る発明は、請求項１に記載の自動販売機の商品見本展示装置において、商品情報表示体は商品見本の選択指定番号に加えて商品価格、および冷温状態を表示することを特徴とする。
【００１２】
また、請求項４に係る発明は、請求項１に記載の自動販売機の商品見本展示装置において、照明光源は複数の発光ダイオードチップが実装された回路基板を内蔵した発光ダイオードモジュール組立体若しくは発光ダイオードモジュールユニットとして形成してなり、当該発光ダイオードモジュール組立体を透明パネル押え金具に複数並設してなることを特徴とする。
【００１３】
また、請求項５に係る発明は、請求項３記載の自動販売機の商品見本展示装置において、発光ダイオードモジュール組立体はパネル押え金具の背面に配設され、当該パネル押え金具に形成した開口を通して商品展示室を照明してなることを特徴とする。
【００１４】
また、請求項６に係る発明は、請求項３記載の自動販売機の商品見本展示装置において、発光ダイオードモジュール組立体はレイアウト部材の係合部に係合する係止部材を備え、当該発光ダイオードモジュール組立体の係止部材をレイアウト部材における係合部の任意の係合部に係合させてなることを特徴とする。
【発明の効果】
【００１５】
本発明の請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、商品見本展示用ステージとして左右方向に延在するとともに左右方向に等ピッチで形成された係合部を具備してなり、前記中扉に上下方向に等間隔で複数段配設されたレイアウト部材と、前記レイアウト部材の係合部に係合・離脱する係止部を具備して当該レイアウト部材に着脱自在に装着され、前記商品見本を個別に載置するとともに少なくとも前記商品見本の選択指定番号を商品価格若しくは冷温状態を表示する商品情報表示体を保持するホルダーと、前記レイアウト部材の係合部に係合・離脱する係止部を具備して当該レイアウト部材に着脱自在に装着され、広告等を表示してなるポスター部材と、前記商品展示室周囲の側壁を形成するとともに透明パネルの周縁をその裏面側から保持するパネル押え金具に取り付けてなる照明光源とを備え、従前の自動販売機に具備されていたところの、商品展示室の背面を形成し、商品見本を載置する商品展示台が取り付けられていた中扉にレイアウト部材を固着し、このレイアウト部材の任意位置に商品見本のホルダー、およびポスター部材を着脱自在に装着するとともに商品展示室の前面を形成する透明パネルの周縁をその裏面側から保持してなる透明パネル押え金具に照明光源を取り付けたことにより、自動販売機の構成を大幅に改造することなく商品見本、およびポスターを商品展示室の任意位置にレイアウトし、かつ、当該商品見本、およびポスターを照明光源により照明することができるという効果を有する。
【００１６】
また、本発明の請求項２に係る発明は、請求項１に記載の自動販売機の商品見本展示装置において、ポスター部材の係止部をレイアウト部材における任意の係合部に係合させるとともに当該ポスター部材の周縁近傍のレイアウト部材における係合部に特定の商品見本を載置したホルダーの係止部を係止させて前記ポスター部材の近傍に特定の商品見本を配置したことにより、目に留まり易いポスターの近傍に特定の商品見本、例えば、新発売の商品、キャンペーン期間中のおすすめ商品等の商品見本が位置するので特定の商品見本を利用者にアピールすることができるという効果を有する。
【００１７】
また、本発明の請求項３に係る発明は、請求項１記載の自動販売機の商品見本展示装置において、商品情報表示体は商品見本の選択指定番号に加えて商品価格、および冷温状態を表示したことにより、利用者に対して商品見本とともに商品見本の商品情報を一目で判断できるように表示することができる。
【００１８】
また、本発明の請求項３に係る発明は、請求項１記載の自動販売機の商品見本展示装置において、照明光源を複数の発光ダイオードチップが実装された回路基板を内蔵した発光ダイオードモジュール組立体として形成してなり、当該発光ダイオードモジュール組立体を透明パネル押え金具に複数並設したことにより、発光ダイオードモジュール組立体の個数を増減することによって商品展示室の全域を照明、或いは利用者にアピールしたい特定の位置を照明するができるという効果を有する。
【００１９】
また、本発明の請求項４に係る発明は、請求項３記載の自動販売機の商品見本展示装置において、発光ダイオードモジュール組立体はパネル押え金具の背面に配設され、当該パネル押え金具に形成した開口を通して商品手展示室を照明したことにより、発光ダイオードモジュール組立体の配線をパネル押え金具の背面に沿って引き回すことができるので見栄えを損なうことがないという効果を有する。
【００２０】
また、請求項５に係る発明は、請求項３記載の自動販売機の商品見本展示装置において、発光ダイオードモジュール組立体はパネル押え金具の背面に配設され、当該パネル押え金具に形成した開口を通して商品展示室を照明してなることにより、利用者に発光ダイオードモジュール組立体からの光が直接照射されることを防止することができるという効果を有する。
【００２１】
また、請求項６に係る発明は、請求項３記載の自動販売機の商品見本展示装置において、発光ダイオードモジュール組立体はレイアウト部材の係合部に係合する係止部材を備え、当該発光ダイオードモジュール組立体の係止部材をレイアウト部材における係合部の任意の係合部に係合させたことにより、例えば、ポスター部材の近傍に発光ダイオードモジュール組立体を配置させて当該発光ダイオードモジュール組立体によりポスターを明るく照明して宣伝広告を際立たせることが可能となるという効果を有する。
【図面の簡単な説明】
【００２２】
【図１】本発明の実施の形態１である自動販売機を示し、（ａ）はその全体構成を示す正面図、（ｂ）は（ａ）の自動販売機の外扉、および中扉を開放した状態を示す斜視図である。
【図２】図１の中扉を示す斜視図である。
【図３】図１のレイアウト部材を示す斜視図である。
【図４】レイアウト部材を中扉に組付けを説明するための斜視図である。
【図５】図１のホルダーを示す分解斜視図である。
【図６】ホルダーをレイアウト部材に装着した状態を示す斜視図である。
【図７】図１のポスター部材を示し、（ａ）はその分解斜視図、（ｂ）はその組立を示す斜視図である。
【図８】図１の照明光源として発光ダイオードモジュール組立体を示す斜視図である。
【図９】発光ダイオードモジュール組立体のパネル押え金具への組付け状態を示す斜視図である。
【図１０】レイアウト部材に装着される照明光源として発光ダイオードモジュール組立体を示し、（ａ）はその分解斜視図、（ｂ）はその組立図である。
【図１１】本発明の実施の形態２の自動販売機におけるレイアウト部材に装着される照明光源としての発光ダイオードモジュールユニットを示し、（ａ）はその分解斜視図、（ｂ）はその背面側から見た組立図である。
【図１２】図１１の発光ダイオードモジュールユニットの左側面図である。
【図１３】図１１の発光ダイオードモジュールユニットの変形例を示し、（ａ）はその組立図、（ｂ）はアダプター部材の斜視図、（ｃ）は（ａ）の発光ダイオードモジュールユニットの底面図である。
【図１４】本発明の実施の形態３の自動販売機におけるレイアウト部材、およびホルダーを示し、（ａ）はその分解斜視図、（ｂ）はその右側面図である。
【図１５】本発明の実施の形態４の自動販売機におけるレイアウト部材、およびホルダーを示す分解斜視図である。
【発明を実施するための形態】
【００２３】
以下、本発明における実施の形態である自動販売機を図面に基づいて説明する。
（実施の形態１）
図１は本発明の実施の形態１である自動販売機の全体構成を示す。図において、１は前面が開放した断熱筐体として形成された本体キャビネットである。この本体キャビネット１の庫内は断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。
【００２４】
前記本体キャビネット１の前面には不図示のヒンジ機構により開閉自在な片開き式の外扉２が設けられ、この外扉２の前面の上部域には商品展示室３が設けられている。この商品展示室３はその前面側が透明パネル４で覆われ、背面側が中扉２１により覆われている。前記透明パネル４の上下左右の周縁はその裏面側に配設された上下左右のパネル押え金具４１〜４４（図１の（ｂ）参照）により保持され、これらのパネル押え金具４１〜４４が商品展示室３の周囲の側壁を形成している。詳細については後述するが、前記上下左右のパネル押え金具４１〜４４のうち、下側のパネル押え金具４２を除く上側のパネル押え金具４１と左右のパネル押え金具４３，４４には照明光源７０（後述する発光ダイオードモジュール組立体からなる）が配設されている。
【００２５】
前記商品展示室３の背面壁を形成する中扉２１は左端側をヒンジ２１ａ（図１の（ｂ）参照）により外扉２に開閉自在に取付けられている。この中扉２１には本発明にかかるレイアウト部材１０が上下方向に複数段配設され、このレイアウト部材１０の任意位置に商品見本８、ポスター部材９、および照明光源７０が展示されるように構成されている。なお、前記商品見本８は後述するホルダー１２を介してレイアウト部材１０に展示されるように構成されている。前記外扉２における商品展示室３の下方左側領域には商品展示室３に展示された複数の商品見本８を選択する商品選択ボタン５ａを集中して配置したボタン部５が設けられている。前記外扉２における商品展示室４の下方右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉２における高さ方向略中央であって右端側（反ヒンジ機構側）にはシリンダー錠付きの主ロック装置７が設けられている。そして、前記外扉２における下部領域には硬貨返却口２ａ、商品販売口２ｂが設けられている。
【００２６】
さて、前記中扉２１は、図２に示すように、矩形形状の周囲を補強のために折り曲げられた薄板板金からなり、その表面には白色塗装が施されている。前記中扉２１の板面には左右の端部側に矩形の係止穴２１１ａが設けられ、この係止穴２１１ａ，２１１ａの間に鉤形の係止穴２１１ｂが設けられており、この実施の形態では中央位置に穿孔された配線用開口２１１ｃを中心として左右対称に２個の係止穴２１１ａと４個の係止穴２１１ｂがマトリックス状に設けられている。なお、配線用開口２１１ｃの下方にはナイロンリベットの挿通孔２１１ｄが穿孔されている。前記マトリックス状の行である左右方向に並ぶそれぞれの係止穴２１１ａ，２１１ｂ，２１１ｃ，２１１ｄが一つの段２１１を形成し、この段２１１が上下方向に均等ピッチで複数段２１１〜２ｎｎ形成されている。
【００２７】
前記中扉２１に固着されるレイアウト部材１０は、図３に示すように、左右方向に細長い板金を縦断面鳥打帽状に折り曲げて形成されてなり、中扉２１と同様に白色塗装が施されている。商品見本展示用ステージとなる天板１０ａには左右方向に複数の凸状係合穴（係合部）１１が均等ピッチで穿孔されている。また、天板１０ａの端縁には下方に折り曲げられた複数の固定片１０ｃが設けられ、この実施の形態では中扉２１の係止穴２１１ｂに対応して左右対称に４個の固定片１０ｃが設けられている。また、レイアウト部材１０の縦断面鳥打帽状の庇に対応する鍔部１０ｂには中扉２１の係止穴２１１ａに対応して左右対称に２個の切起し片１０ｄが形成され、それぞれの切起し片１０ｄ，１０ｄはそれぞれ同一の方向（図では右方向）を向くように切起されている。前記鍔部１０ｂの左右方向の中央位置にはナイロンリベットの挿通孔１０ｅが穿孔されている。
【００２８】
前記レイアウト部材１０の中扉２１への取付けを図４に示している。図に示すようにレイアウト部材１０の４つの固定片１０ｃと２つの切起し片１０ｄを、中扉２１の前方側から所定の段、例えば、段２１１の４つの係止穴２１１ｂと２つの係止穴２１１ａに対峙させる。この場合、中扉２１の４つの係止穴２１１ｂは上下方向に広幅の穴に細幅の穴を連通してなる鉤形に形成され、広幅の穴が固定片１０ｃの上下方向の長さより大きく、細幅の穴が固定片１０ｃの板厚よりも僅かに大きく形成され、また、中扉の２つの係止穴２１１ａが切起し片１０ｄよりも大きく形成されている。したがって、レイアウト部材１０のそれぞれの固定片１０ｃを中扉２１の係止穴２１１ｂの広幅の穴に対峙させ、また、切起し片１０ｄを係止穴２１１ａに対峙させた上でレイアウト部材１０を後方に向けて押し込むとレイアウト部材１０の固定片１０ｃと切起し片１０ｄが中扉２１を貫通して背面側に突出する。この状態でレイアウト部材１０をスライド、図４では右方向にスライドさせて固定片１０ｃを係止穴２１１ｂの細幅の穴に嵌合させると、固定片１０ｃ、および切起し片１０ｄの先端が係止穴２１１ｂ，２１１ａの縁を跨いで中扉２１の背面側に移動してレイアウト部材１０の前方への移動を阻止するストッパとなる。そして、レイアウト部材１０の鍔１０ｂに形成したナイロンリベット挿通孔１０ｅを介してナイロンリベット（不図示）により固着される。このようにして中扉２１の各段２１１〜２ｎｎに沿ってレイアウト部材１０を固着することによってレイアウト部材１０が上下方向に等間隔で複数段配設されることとなる。
【００２９】
前記レイアウト部材１０に着脱自在に装着されるホルダー１２は、図５に示すように、短冊状の板金を断面Ｚ字形に折り曲げて形成されてなり、その表面には白色塗装が施されている。ホルダー１２の水平面をなす商品見本載置部１２１には商品見本８の嵌合穴１２１ａが形成されている。ホルダー１２の商品見本載置部１２１の後端から鉛直に立ち上がる固定部１２２の自由端側は後方に向けて直角に折り曲げるとともに再び鉛直方向に延在するように折り曲げられ、当該固定部１２２には切り起こしにより係止片（係止部）１２２ａが形成されている。前記係止片１２２ａの自由端側は種目鮫の頭部形状（或いはきのこ形状）のように左右方向に延在するストッパ１２２ｂ，１２２ｂが形成されている。前記係止片１２２ａの幅は図３に示したレイアウト部材１０の商品見本展示用ステージに形成する天板１０ａに穿孔された凸状係合穴１１における突部（細幅の穴）の幅よりも小さく形成されている一方、左右のストッパ１２２ｂ，１２２ｂの両端の間の寸法は凸状係合穴１１における突部（細幅の穴）の幅よりも大きく、かつ、凸状係合穴１１における底部（広幅の穴）の幅よりも小さく定められている。また、ホルダー１２の商品見本載置部１２１の前端から鉛直に垂下する掲示部１２３の自由端（下端）は前方に折り返して保持溝１２３ａが形成されている。前記掲示部１２３の左右の上部領域には商品見本載置部１２１の左右端部から前方に延在して内方に折り曲げられた保持爪１２１ｂ，１２１ｂが配設されている。前記保持爪１２１ｂ，１２１ｂと掲示部１２３の表面との間には次に示す商品情報表示体１５の厚さよりも僅かに大きい隙間が形成されている。前記商品情報表示体１５はホルダー１２の掲示部１２３（の表面）と略同一の大きさに形成され、その表面には商品見本８の商品情報としての商品見本指定番号（例えば、１〜Ｎ），商品価格（例えば、\１２０），冷温状態（例えば、寒色の背景色に白抜きの「ＣＯＬＤ」、若しくは暖色の背景色に白抜きの「ＨＯＴ」）が表示されている。この商品情報表示体１５はホルダー１２の掲示部１２３に上方から差し込むことにより保持溝１２３ａと保持爪１２１ｂ，１２１ｂとにより掲示部１２３に掲示される。
【００３０】
前記ホルダー１２のレイアウト部材１０の装着した状態を図６に示している。図に示すようにホルダー１２の係止片１２２ａをレイアウト部材１０の商品見本展示用ステージとなる天板１０ａに形成した凸状係合穴１１に挿入する。この場合、係止片１２２ａの自由端側の左右方向に延在するストッパ１２２ｂ，１２２ｂを凸状係合穴１１の広幅の穴から挿入する。このように、ホルダー１２の係止片１２２ａをレイアウト部材１０の凸状係合穴１１に挿入した上で、ホルダー１２を手前にスライドさせるとホルダー１２の係止片１２２ａがレイアウト部材１０の凸状係合穴１１の細幅の穴に移動し、係止片１２２ａの自由端側に左右方向に延在するストッパ１２２ｂ，１２２ｂがレイアウト部材１０の天板１０ａの背面に係合する。このようにしてホルダー１２の係止片１２２ａをレイアウト部材１０の凸状係合穴１１に係合させると、ホルダー１０がストッパ１２２ｂ，１２２ｂを中心に反時計方向に重力によって回動し、その固定部１２２がホルダー１０に当接して静止する。このように、レイアウト部材１０に装着されたホルダー１２における商品見本載置部１２１の嵌合穴１２１ａに商品見本８（図１参照）が取付けられる。前記商品見本８はこの実施の形態１においてペットボトル入り飲料の意匠を施した円筒状で薄肉の合成樹脂成形品としてなり、商品見本８の下縁を前記嵌合穴１２１ａに嵌合させて取付けられるが、この取付け方法については周知であるのでここでは詳細な説明は省略する。
【００３１】
前記レイアウト部材１０に着脱自在に装着されるポスター部材９は、図７に示すように、板金製の基台９１と、この基台９１の前面を覆う硬質で透明のシート９２からなる。前記基台９１は用紙サイズが「Ａ３」のポスター（不図示）よりも僅かに大きい矩形形状に形成され、その表面には白色塗装が施され、その上縁には左右２個の係止爪（係止部）９１ａ，９１ａが背面側に向けて形成されている。前記係止爪９１ａ，９１ａの形状は図５に示したホルダー１２の係止片１２２ａの形状と同一であり、基台９１の上縁から背面側に向けて直角に折り曲げられ、その自由端側が下方に垂下するとともに種目鮫の頭部形状（或いはきのこ形状）のように左右方向に延在するストッパ（不図示）を備えている。ここで、左右２個の係止爪９１ａ，９１ａの間隔はレイアウト部材１０の商品見本展示用ステージとなる天板１０ａに形成された凸状係合穴（係合部）１１の間のピッチに整数倍となるように定められている。また、前記基台９１の下部側には基台９１を切起して形成された左右２個の係止爪（係合部）９１ｂ，９１ｂが設けられ、この係止爪９１ｂ，９１ｂの形状および間隔は前述した係止爪９１ａ，９１ａの形状および間隔と同一である。そして、前記基台９１の下縁には前方に折り返して保持溝９１ｃが形成されている。一方、シート９２はナイロンリベットにより上端側を前記基台９１に固着して取付けられ、下端側が基台９１の保持溝９１ｃに位置している。
【００３２】
前述したように構成されたポスター部材９には次のようにしてポスターが装填される。すなわち、基台９１に上端側が固着されたシート９２の下端側を前方側に引くとシート９２が湾曲して基台９１との間に隙間が生じるので、ポスター部材９の側面側から前記隙間にポスターを挿入する。ポスターを所定位置まで挿入した上でシート９２から手を離すとシート９２が復元してポスターの前面を覆う。なお、ポスターは基台９１の保持溝９１ｃにより脱落しないように保持されている。このポスター部材９のレイアウト部材１０への装着方法は前述したホルダー１２の装着方法に対して、上下の係止爪９１ａ，９１ａ、係止爪９１ｂ，９１ｂをレイアウト部材１０の対応する凸状係合穴１１に同時に挿入する点を除けば同一である。つまり、上下の係止爪９１ａ，９１ａ、係止爪９１ｂ，９１ｂをレイアウト部材１０の対応する凸状係合穴１１に同時に挿入した上で前方にスライドさせると上下の係止爪９１ａ，９１ａ、係止爪９１ｂ，９１ｂがレイアウト部材１０に係止することによってポスター部材９はレイアウト部材１０に装着される。
【００３３】
前記商品展示室３の周壁に配設される照明光源７０としての発光ダイオードモジュール組立体は、図８に示すように、細長い発光ダイオードモジュール７１とその取付金具７２からなる。前記発光ダイオードモジュール７１は遮光材からなる台座７１ａと拡散用レンズ７１ｂを備えている。前記台座７１ａには複数の発光ダイオード素子（不図示）実装した回路基板が内蔵されており、当該回路基板に接続された配線接続用コネクタ７３は拡散用レンズ７１ｂを貫通して引き出されている。前記発光ダイオードモジュール７１が固着された取付金具７２の左右両端部はねじ固定部として形成されており、その一方の端部のねじ固定部には誤差を吸収する開放したねじ挿通穴として形成されている。
【００３４】
前述した発光ダイードモジュール組立体７０は図１に示した商品展示室３の周囲の側壁を形成するパネル押え金具に取付けられ、パネル押え金具への組付けを図９に示す。前述した図１において説明したように透明パネル４の上下左右の周縁はその裏面側に配設された上下左右のパネル押え金具４１〜４４によって保持されており、図９において、４１で上側のパネル押え金具、４３，４４で左右のパネル押え金具を示し、４５，４６はそれぞれ発光ダイードモジュール組立体７０の取付金具を示し、４７，４８はそれぞれ採光板を示している。なお、上下左右のパネル押え金具４１〜４４はその表面に白色塗装が施され、それぞれの前縁４１ａ，４３ａ，４４ａが透明パネル３の背面に当接し、後縁４１ｂ，４３ｂ，４４ｂが外扉２の扉枠に固定して取付けられている。
【００３５】
前記左右のパネル押え金具４３，４４には商品展示室３の周壁となる板面にそれぞれ２個の開口４３ｃ，４３ｃ、４４ｃ，４４ｃが明けられており、その開口４３ｃ，４３ｃ、４４ｃ，４４ｃの大きさは前記発光ダイードモジュール組立体７０における発光ダイオードモジュール７１の外形寸法より大きく形成されている。一方、上側のパネル押え金具４１には前記開口４３ｃ，４３ｃ、４４ｃ，４４ｃに対応するものは施されておらず、前記発光ダイードモジュール組立体７０は上側のパネル押え金具４１の板面（表面）に直接固着されるように構成されている。つまり、上側のパネル押え金具４１には発光ダイードモジュール組立体７０がその取付金具７２（図８参照）の左右両端部のねじ固定部を介してねじにより固着されており、発光ダイードモジュール組立体７０が商品展示室３に露出するように組付けられている。この場合、上側のパネル押え金具４１には３個の発光ダイードモジュール組立体７０が取付けられ、それぞれ配線接続用コネクタ７２（図８参照）を介して直列接続されている。これに対して左右のパネル押え金具４３，４４の背面側には発光ダイードモジュール組立体７０を組付けた取付金具４５，４６が配設されている。前記取付金具４５，４６は薄板板金を適宜折り曲げて形成されてなるものであり、扉枠に固着されてパネル押え金具４３，４４に覆われるように構成されている。前記取付金具４５，４６には発光ダイオードモジュール７１がパネル押え金具４３，４４の開口４３ｃ，４３ｃ、４４ｃ，４４ｃに臨むように取付けられており、それぞれの取付金具４５，４６には発光ダイオードモジュール７１は配線接続用コネクタ７２（図８参照）を介して直列接続されている。そして、左右のパネル押え金具４３，４４の前面（表面）側には採光板４７，４８が取付けられる。
【００３６】
このように商品展示室３の左右に配設される発光ダイードモジュール組立体７０は左右のパネル押え金具４３，４４の背後に位置するように組付けることにより、配線接続用コネクタ７３に接続される電源線や制御信号線などの配線が隠れて見えないようにすることができる。なお、上側のパネル押え金具４１に取付けられた発光ダイードモジュール組立体７０は商品展示室３内に露出しているが、この商品展示室３の上部領域にはロゴタイプなどを表示する表示部材１００（図１の（ｂ）参照）が吊下げられることから自動販売機の前面側から発光ダイードモジュール組立体７０が見えることはない。
【００３７】
また、前記レイアウト部材１０に装着することにより商品展示室３内に配設される照明光源７０を図１０に示している。この照明光源７０は発光ダイオードモジュールユニット７００として構成され、図に示すように、発光ダイオードモジュール７１と、この発光ダイオードモジュール７１の取付金具７１０と、レイアウト部材１０に係止される係止金具７２０、および目隠し板７３０とからなり、取付金具７１０，係止金具７２０、および目隠し板７３０はそれぞれ薄板板金製であって白色塗装が施されている。前記発光ダイオードモジュール７１は図８に示したものと同一である。前記取付金具７１０は縦断面Ｌ字形に折り曲げられた底板７１１と前板７１２とからなり、底板７１１の左右両端には上方に向けて鉛直に折り曲げられるとともにねじ挿通穴を有する連結片７１３，７１３が形成されている。この取付金具７１０の底板７１１の下面に前記発光ダイオードモジュール７１がねじにより固着される。前記係止金具７２０は縦断面逆Ｌ字形に折り曲げられた主板７２１と天板７２２からなり、天板７２２の左右両端には天板７２２から上方に向くように折り曲げられたタブ７２３，７２３が形成されるとともにタブ７２３，７２３の近傍に係止片７２４，７２４が形成されている。前記係止片７２４，７２４の形状は図５に示したホルダー１２の係止片１２２ａの形状と同一であり、その自由端側が下方に垂下するとともに種目鮫の頭部形状（或いはきのこ形状）のように左右方向に延在するストッパ（不図示）を備えている。ここで、左右２個の係止爪７２４，７２４の間隔はレイアウト部材１０の商品見本展示用ステージとなる天板１０ａに形成された凸状係合穴（係合部）１１の間のピッチに整数倍となるように定められている。また、前記係止金具７２０における主板７２１の左右両端には前方に向けて折り曲げられるとともにねじ挿通穴を有する固定片７２５，７２５が形成されている。前記目隠し板７３０は上縁を後方に傾斜するように形成された庇７３１が形成されている。
【００３８】
前述した構成からなる発光ダイオードモジュールユニット７００として組立た状態を図１０の（ｂ）に示しており、発光ダイオードモジュール７１を底板７１１の下面に固着した取付金具７１０の左右の連結片７１３，７１３の外側に係止金具７２０の固定片７２５，７２５を重ね合わせて両者をねじＳ１により固着し、取付金具７１０の前板７１２の前方に目隠し板７３０を重ね合わせて両者をねじＳ２により固着することにより発光ダイオードモジュールユニット７００が組立られる。この発光ダイオードモジュールユニット７００のレイアウト部材１０への装着は前記ホルダー１２の装着方法に対して、係止金具７２０に形成した左右の係止爪７２４，７２４をレイアウト部材１０の対応する凸状係合穴１１に同時に挿入する点を除けば同一である。つまり、左右の係止爪７２４，７２４をレイアウト部材１０の対応する凸状係合穴１１に同時に挿入した上で前方にスライドさせると左右の係止爪７２４，７２４がレイアウト部材１０に係止することによって発光ダイオードモジュールユニット７００がレイアウト部材１０に装着される。ここで、発光ダイオードモジュールユニット７００の配線はレイアウト部材１０の断面コ字形の空間を介して中扉２１に穿孔された配線用開口２１１ｃを通して引き回される。なお、ねじＳ１を緩めて係止金具７２０に対して取付金具７１０を回動させることにより発光ダイオードモジュール７１からの照射方向を可変とすることができる。
【００３９】
前述したように商品展示室３の任意の位置に商品見本８、ポスター部材９をレイアウトした一例を図１に示している。この場合、図１のように商品展示室３の任意の位置に装着されたポスター部材９の近傍、図の例ではポスター部材９の左右に装着された商品見本８を特定の商品見本とするのがよい。特定の商品見本とはポスター部材９に掲示されたポスターが新発売の商品の広告である場合には新発売の商品に対応する商品見本であり、また、ポスターがキャンペーン期間中のおすすめ商品の広告である場合にはそのおすすめ商品に対応する商品見本などである。このように、ポスター部材９の近傍に特定の商品見本８を配置してなることにより、目に留まり易いポスターの近傍に特定の商品見本が位置するので特定の商品見本を利用者にアピールすることができるという効果を有する。
【００４０】
前述したように商品展示室３の任意の位置に商品見本８、ポスター部材９、および照明光源７０（発光ダイオードモジュール組立体７０）をレイアウトした状態で自動販売機に通電すると商品展示室３の上側のパネル押え金具４１と、左右のパネル押え金具４３，４４に取り付けた照明光源７０（発光ダイオードモジュール組立体７０）から照射される照明光により商品展示室３内が明るく照明され、また、照明光源７０（発光ダイオードモジュールユニット７００）によりポスター部９に展示されたポスターが際立つように照明される。利用者が商品を購入するために硬貨、若しくは紙幣を投入した場合、投入金額が商品価格に一致、若しくは商品価格を超えた商品に対応する商品選択ボタン５ａが点灯（販売可能状態を表示）する。この場合、商品選択ボタン５ａには商品見本８を保持するホルダー１２に掲示された商品情報表示体１３に表示された商品指定番号と一対一で対応する番号が表示されるように構成されており、希望する商品見本８の商品指定番号に対応する商品選択ボタン５ａを押すと本体キャビネット１の庫内に収納された商品収納ラックから対応する商品が搬出される。
【００４１】
なお、商品選択ボタン５ａとして商品見本８と一対一で対応する例について説明したが、これに限るものではない。例えば、商品選択ボタンをテンキー方式とすることができ、この場合には商品見本８を載置するホルダー１２に販売可能状態を表示する発光ダイオードを追加装備すれば利用者に購入可能な商品を知らせることができる。
（実施の形態２）
図１１乃至図１３は本発明の実施の形態２の自動販売機におけるレイアウト部材１０に装着される照明光源７０としての発光ダイオードモジュールユニット７Ａを示し、図１１の（ａ）は発光ダイオードモジュールユニットの分解斜視図、（ｂ）はその発光ダイオードモジュールユニットを背面側から見た組立図、図１２は図１１の（ｂ）に示した発光ダイオードモジュールユニットの左側面図、図１３は発光ダイオードモジュールユニットの変形例を示し、（ａ）は発光ダイオードモジュールユニットの組立図、（ｂ）はアダプター部材の斜視図、（ｃ）は（ａ）の底面図である。
【００４２】
図１１に示す照明光源７０は発光ダイオードモジュールユニット７Ａとして構成され、図に示すように、発光ダイオードモジュール７１と、この発光ダイオードモジュール７１の取付部材７Ａ１と、レイアウト部材１０に係止されるアダプター部材７Ａ２と、前記取付部材７Ａ１とアダプター部材７Ａ２とを覆う目隠し部材７Ａ３とからなり、これらの取付部材７Ａ１，アダプター部材７Ａ２、および目隠し部材７Ａ３はそれぞれ薄板板金製であって白色塗装が施されている。前記発光ダイオードモジュール７１は図８に示したものと同一である。前記取付部材７Ａ１は縦断面Ｌ字形に折り曲げられた底板７Ａ１１と背板７Ａ１２とからなり、前記底板７Ａ１１にはねじ挿通穴が形成されているとともにその前端は上方に向けて折り曲げられた係合板７Ａ１１１が形成されている。この取付金具７Ａ１の底板７Ａ１１の下面に前記発光ダイオードモジュール７１がねじにより固着される。前記アダプター部材７Ａ２は縦断面逆Ｌ字形に折り曲げられた主板７Ａ２１と天板７Ａ２２からなり、天板７Ａ２２の左右両端には天板７２２から上方に向くように折り曲げられたタブ７Ａ２３，７Ａ２３が形成されるとともにタブ７Ａ２３，７Ａ２３の近傍に係止片７Ａ２４，７Ａ２４が形成されている。前記係止片７Ａ２４，７Ａ２４の形状は図５に示したホルダー１２の係止片１２２ａの形状と同一であり、その自由端側が下方に垂下するとともに種目鮫の頭部形状（或いはきのこ形状）のように左右方向に延在するストッパ７Ａ２４１，７Ａ２４１を備えている。ここで、左右２個の係止爪７Ａ２４，７Ａ２４の間隔はレイアウト部材１０の商品見本展示用ステージとなる天板１０ａに形成された凸状係合穴（係合部）１１の間のピッチに整数倍となるように定められている。前記目隠し部材７Ａ３は前記取付金具７Ａ１の底板７Ａ１１の下面に固着された発光ダイオードモジュール７１を囲繞する態様の凹形状の溝板部７Ａ３１と、この溝板部７Ａ３１の前端側から後方に傾斜するように形成された庇部７Ａ３２と、前記溝板部７Ａ３１の後端側から後方に延在する平坦部７Ａ３３からなり、前記溝板部７Ａ３１の底面には発光ダイオードモジュール７１の一部が露出するように開口７Ａ３１１が形成され、また、庇部７Ａ３２の両端には下方に折り返して形成された係合片７Ａ３４が形成されている。
【００４３】
前述した構成からなる発光ダイオードモジュールユニット７Ａとして組立を図１１、および図１２を参照しつつ説明すると、発光ダイオードモジュール７１は取付部材７Ａ１の底板７Ａ１１の下面にねじＳ３(図１２参照)により固着されている。この取付部材７Ａ１の背板７Ａ１２の背後にアダプター部材７Ａ２の主板７Ａ２１を重ね合わせて両者をねじＳ４により固着した上で、取付部材７１０の底板７Ａ１１に固着された発光ダイオードモジュール７１を目隠し部材７Ａ３に形成した凹形状の溝板部７Ａ３１の開口7Ａ３１１に嵌め込む。ここで、前記開口７Ａ３１１は目隠し部材７Ａ３の平坦部７Ａ３３にまで延在して発光ダイオードモジュール７１の横幅よりも大きく形成されており、この平坦部７Ａ３３にまで延在した開口７Ａ３１１に発光ダイオードモジュール７１を臨ませながら嵌め込むことにより凹形状の溝板部７Ａ３１の開口7Ａ３１１に発光ダイオードモジュール７１が遊嵌される。この後、取付部材７Ａ１の底板７Ａ１１を目隠し部材７Ａ３の平坦部７Ａ３３に重ね合わせてねじＳ５により固着することにより発光ダイオードモジュールユニット７Ａが組立られる。なお、前記取付部材７Ａ１を目隠し部材７Ａ３に組付けた際、目隠し部材７Ａ３の庇部７Ａ３２の両端に形成した係合片７Ａ３４が取付部材７Ａ１の前端に形成した係合板７Ａ１１１に係合することにより両者の係合状態をより一層強固なものとしている。
【００４４】
この発光ダイオードモジュールユニット７Ａのレイアウト部材１０への装着は前記ホルダー１２の装着方法に対して、係止金具７Ａ２に形成した左右の係止爪７Ａ２４，７Ａ２４をレイアウト部材１０の対応する凸状係合穴１１に同時に挿入する点を除けば同一である。つまり、左右の係止爪７Ａ２４，７Ａ２４をレイアウト部材１０の対応する凸状係合穴１１に同時に挿入した上で前方にスライドさせると左右の係止爪７Ａ２４，７Ａ２４がレイアウト部材１０に係止することによって発光ダイオードモジュールユニット７Ａがレイアウト部材１０に装着される。ここで、発光ダイオードモジュールユニット７Ａの配線はレイアウト部材１０の断面コ字形の空間を介して中扉２１に穿孔された配線用開口２１１ｃを通して引き回される。
【００４５】
図１３は図１１に示した発光ダイオードモジュールユニット７Ａに対してアダプター部材７Ａ２を取り外して新たなアダプター部材７Ａ２０を取付けた発光ダイオードモジュールユニット７Ａ０を示し、図１１に示す部材と同一の部材には同一の符号を付してその説明を省略する。これらのアダプター部材７Ａ２０，７Ａ２０はアダプター部材７Ａ２に対してその係止爪７Ａ２４，７Ａ２４に対応する箇所のみを切り出したものであって、それぞれ薄板板金製であって白色塗装が施されている。これらのアダプター部材７Ａ２０，７Ａ２０はそれぞれ主板７Ａ２０１と係止爪７Ａ２０２とからなる。前記係止爪７Ａ２０２はアダプター部材７Ａ２の係止爪７Ａ２４と同一である。これらのアダプター部材７Ａ２０，７Ａ２０は取付部材７Ａ１の背板７Ａ１２と重ね合わせてねじＳ６により固着される。この場合、アダプター部材７Ａ２０，７Ａ２０はその係止爪７Ａ２０２，７Ａ２０２の自由端の方向が細長の発光ダイオードモジュール組立体７Ａ０の軸線と同一方向となる態様で組付けられ、上下の係止爪７Ａ２０２，７Ａ２０２の間の間隔は中扉２１に上下方向に等間隔で複数段配設されたレイアウト部材１０のピッチの整数倍に相当する間隔に定められており、例えば上下方向に５段のレイアウト部材１０に相当する間隔に選ばれている場合には上下の係止爪７Ａ２０２，７Ａ２０２が上下方向に５段のレイアウト部材１０を跨ぐ態様となる。すなわち、図１１に示した発光ダイオードモジュールユニット７Ａが水平方向に配設されるものであるのに対し、この発光ダイオードモジュールユニット７Ａ０は鉛直方向（上下方向）に配設されるものである。
【００４６】
図１３に示した発光ダイオードモジュールユニット７Ａ０のレイアウト部材１０への装着は、中扉２１に上下方向に等間隔で複数段配設されたレイアウト部材１０のうち、上下方向に所定段数離れた上・下のレイアウト部材１０であって、上・下それぞれのレイアウト部材１０の所定の凸状係合穴１１、例えば左右方向に並ぶ凸状係合穴１１のうちの左端側から１０番目の凸状係合穴１１に上下の係止爪７Ａ２０２，７Ａ２０２を同時に挿入した上で前方にスライドさせると上下の係止爪７Ａ２０２，７Ａ２０２が上・下のレイアウト部材１０に係止することによって発光ダイオードモジュールユニット７Ａ０が上・下のレイアウト部材１０に跨って鉛直方向に装着される。
【００４７】
この実施の形態２の発光ダイオードモジュールユニット７Ａ，７Ａ０においては、図１１に示したアダプター部材７Ａ２と図１３に示したアダプター部材７Ａ２０，７Ａ２０をそれぞれ交換して用いることにより、中扉２１に上下方向に等間隔で複数段配設されたレイアウト部材１０を利用して照明光源を水平方向に配設したい場合には発光ダイオードモジュールユニット７Ａを用い、照明光源を鉛直方向に配設したい場合には発光ダイオードモジュールユニット７Ａ０を用いればよい。なお、中扉２１に上下方向に等間隔で複数段配設されたレイアウト部材１０のピッチと、前記レイアウト部材１０の商品見本展示用ステージとなる天板１０ａに左右方向に複数形成した凸状係合穴１１のピッチを同一とした場合にはアダプター部材７Ａ２０，７Ａ２０の向きを変更すればアダプター部材７Ａ２（図１１，図１２参照）を用いることなくアダプター部材７Ａ２０，７Ａ２０のみによって発光ダイオードモジュールユニット７Ａ０を水平方向若しくは鉛直方向を向くように配設することができるものである。また、上下方向に等間隔で複数段配設されたレイアウト部材１０のピッチと、前記レイアウト部材１０の商品見本展示用ステージとなる天板１０ａに左右方向に複数形成した凸状係合穴１１のピッチが異なる場合にも図１３に示したアダプター部材７Ａ２０，７Ａ２０のねじ貫通穴を長穴として取付け位置を調整可能とすることによってアダプター部材７Ａ２０，７Ａ２０のみで発光ダイオードモジュールユニット７Ａ０を水平方向若しくは鉛直方向を向くように配設することができるものである。
（実施の形態３）
図１４は本発明の実施の形態３の自動販売機におけるレイアウト部材１０Ａ、およびホルダー１２Ａを示し、これらのレイアウト部材１０Ａ、およびホルダー１２Ａ以外の構成は実施の形態１の自動販売機と同一であるのでその説明を省略する。
【００４８】
図１４に示したレイアウト部材１０Ａが実施の形態１に示したレイアウト部材１０（図３参照）と相違する点は、図３のレイアウト部材１０においては商品見本展示用ステージとなる天板１０ａに左右方向に複数形成した凸状係合穴１１を設けているのに対し、前記天板１０ａを削除したものである。すなわち、レイアウト部材１０Ａは左右方向に細長い板金を略Ｚ字形に折り曲げて固定板１０Ａ１に対して前板１０Ａ２が連結板１０Ａ３を介して前方側に位置するように形成されてなり、その表面には白色塗装が施されている。そして、固定板１０Ａ１の背面側には係止突起１０Ａ１１が複数個形成されるとともに連結板１０Ａ３の前板１０Ａ２寄りには左右方向に等間隔で嵌合穴（係合穴）１０Ａ３１が複数形成されている。
【００４９】
一方、ホルダー１２Ａが実施の形態１に示したホルダー１２（図５参照）と相違する点は、ホルダー１２の固定部１２２を除去した上で、係止片１２２ａに代えて商品見本載置部１２Ａ１の後縁から前記レイアウト部材１０Ａの嵌合穴１０Ａ３１にまで延在する挟持片（係止部）１２Ａ２を設け、また、図５のホルダー１２の商品見本載置部１２１の前端から鉛直に垂下する掲示部１２３を削除して係止部１２Ａ３を設けた点である。なお、図５のホルダー１２の商品見本載置部１２１に形成された商品見本８の嵌合穴１２１は円形に形成されているのに対し、ホルダー１２Ａの商品見本載置部１２Ａ１に形成した商品見本８の嵌合穴１２Ａ１１は半円状である点が異なるが、これは円筒状の商品見本８を縦方向に半切りした半切りタイプの商品見本（不図示）を取付けるためのものである。
【００５０】
この実施の形態３におけるホルダー１２Ａのレイアウト部材１０Ａへの装着は、ホルダー１２Ａの挟持片１２Ａ２をレイアウト部材１０Ａの前板１０Ａ２を挟み付けるように当該前板１０Ａ２に差し込み、前記挟持片１２Ａ２の自由端（先端）をレイアウト部材１０Ａの嵌合穴１０Ａ３１に挿入する。これによりホルダー１２Ａは挟持片１２Ａ２によってレイアウト部材１０Ａに装着される。この場合、前記嵌合穴１０Ａ３１は挟持片１２Ａ２の自由端（先端）の幅よりも僅かに大きく形成されており、ホルダー１２Ａをレイアウト部材１０Ａに装着した際にホルダー１２Ａが左右に傾くのを阻止する。なお、ホルダー１２Ａの係止部１２Ａ３には、商品情報表示体１５Ａが合成樹脂製の係止具（例えば、ナイロンリベット）により取付けられている。
（実施の形態４）
図１５は本発明の実施の形態４の自動販売機におけるレイアウト部材１０Ｂ、およびホルダー１２Ｂを示し、これらのレイアウト部材１０Ｂ、およびホルダー１２Ｂ以外の構成は実施の形態１の自動販売機と同一であるのでその説明を省略する。
【００５１】
図１５に示したレイアウト部材１０Ｂが実施の形態３に示したレイアウト部材１０Ａと相違する点は、レイアウト部材１０Ａの嵌合穴１０Ａ３１に代えて、その前板１０Ｂ２に左右方向に等間隔で形成された複数のねじ穴（係合部）１０Ｂ２１を設けた点である。また、ホルダー１２Ｂが実施の形態３に示したホルダー１２Ａと相違する点は、ホルダー１２Ａの挟持片１２Ａ２に代えて商品見本載置部１２Ａ１の後縁から上方に折り曲げられたフック部１２Ｂ２を設け、当該フック部１２Ｂ２にねじ挿通穴（不図示）を設けた点である。
【００５２】
この実施の形態４におけるホルダー１２Ｂのレイアウト部材１０Ｂへの装着は、ホルダー１２Ｂのフック部１２Ｂ２をレイアウト部材１０Ｂの前板１０Ｂ２に引っ掛け、そのフック部１２Ｂ２の前方からねじＳ７をレイアウト部材１０Ｂの前板１０Ｂ２に設けたねじ穴１０Ｂ２１にねじ込む。このようにしてホルダー１２Ｂがレイアウト部材１０Ｂに装着される。なお、ホルダー１２Ｂの係止部１２Ｂ３に商品情報表示体１５Ａを取付ける点は実施の形態３と同様である。
【００５３】
前述したとおり本発明によれば、前面開口が断熱内扉により閉塞され、断熱筐体として形成された本体キャビネット１と、この本体キャビネット１の前面を開閉する片開き式の外扉２を備え、前記外扉２に画成され、前面の透明パネル４と背面の中扉２１により覆われた商品展示室３に商品見本８を配列してなる自動販売機の商品見本展示装置において、商品見本展示用ステージとして左右方向に延在するとともに左右方向に等ピッチで形成された係合部（凸状係合穴１１，嵌合穴１０Ａ３１，ねじ穴１０Ｂ２１）を具備してなり、前記中扉２１に上下方向に等間隔で複数段配設されたレイアウト部材（１０，１０Ａ，１０Ｂ）と、前記レイアウト部材の係合部に係合・離脱する係止部（係止片１２２ａ，挟持片１２Ａ２，ねじ挿通穴）を具備して当該レイアウト部材に着脱自在に装着され、前記商品見本を個別に載置するとともに少なくとも前記商品見本の選択指定番号を商品価格若しくは冷温状態を表示する商品情報表示体（１５，１５Ａ）を保持するホルダー（１２，１２Ａ，１２Ｂ）と、前記レイアウト部材の係合部に係合・離脱する係止部係止爪（係止爪９１ａ，９１ａ、９１ｂ，９１ｂ）を具備して当該レイアウト部材に着脱自在に装着され、広告等を表示してなるポスター部材９と、前記商品展示室周囲の側壁を形成するとともに透明パネル４の周縁をその裏面側から保持するパネル押え金具（４１，４３，４４）に取り付けてなる照明光源７０とを備え、従前の自動販売機に具備されていたところの、商品展示室の背面を形成し、商品見本を載置する商品展示台が取り付けられていた中扉２１にレイアウト部材を固着し、このレイアウト部材の任意位置に商品見本のホルダー、およびポスター部材を着脱自在に装着するとともに商品展示室の前面を形成する透明板の周縁をその裏面側から保持してなるパネル押え金具に照明光源を取り付けたことにより、自動販売機の構成を大幅に改造することなく商品見本、およびポスターを商品展示室の任意位置にレイアウトし、かつ、当該商品見本、およびポスターを照明光源により照明することができるという効果を有する。
【符号の説明】
【００５４】
１…本体キャビネット、２…外扉、３…商品展示室、４…透明パネル、５…ボタン部、        ５ａ…商品選択ボタン、８…商品見本、９…ポスター部、１０，１０Ａ，１０Ｂ…レイアウト部材、１１…凸状係合穴（係合部）、１２，１２Ａ，１２Ｂ…ホルダー、１５，１５Ａ…商品情報表示体、２１…中扉、４１，４２，４３，４４…パネル押え金具、７０，７００…発光ダイオードモジュール組立体（照明光源）、７Ａ，７Ａ０…発光ダイオードモジュールユニット（照明光源）、１２２ａ…係止片（係止部）、１０Ａ３１…嵌合穴（係合部）、１０Ｂ２１…ねじ穴（係合部）、１２Ａ２…挟持片（係止部）。
【図１】
0005397208.tif 000002
【図２】
0005397208.tif 000003
【図３】
0005397208.tif 000004
【図４】
0005397208.tif 000005
【図５】
0005397208.tif 000006
【図６】
0005397208.tif 000007
【図７】
0005397208.tif 000008
【図８】
0005397208.tif 000009
【図９】
0005397208.tif 000010
【図１０】
0005397208.tif 000011
【図１１】
0005397208.tif 000012
【図１２】
0005397208.tif 000013
【図１３】
0005397208.tif 000014
【図１４】
0005397208.tif 000015
【図１５】
0005397208.tif 000016